(57)【要約】【課題】１以上の頁からなる項目が順序付けられて複数ある画像データであり、各項目の順序、名称及び開始頁番号を含む目次データを有する画像データのフォーマットを所定の表示装置で閲覧できるような所定の閲覧可能形式に変換する画像データ変換装置において、変換後においても、目次と各項目とのリンクを維持させることを目的とする。【解決手段】画像データの頁ごとに、頁番号を付与しつつ閲覧可能形式に変換する（Ｓ１１）。複数の項目のうちのいずれかを選択する（Ｓ１４）。選択した選択項目の開始頁番号である基準開始頁番号と、選択項目の次の順序の項目の開始頁番号である次開始頁番号とに基づいて、選択項目に対応した頁を決定する（Ｓ１５〜Ｓ１９）。その決定された頁に対して、目次データに含まれている選択項目の名称に関連させた関連データを作成する（Ｓ２０）。【選択図】図８
2010186277.tif 000002
【特許請求の範囲】
【請求項１】
１以上の頁からなる複数の項目が順序付けられてある画像データであり、前記各項目の順序、名称及び開始頁番号を含む目次データを有する画像データのフォーマットを所定の表示装置で閲覧可能な所定の閲覧可能形式に変換する画像データ変換装置であって、
前記画像データの頁ごとに、頁番号を付与しつつ前記閲覧可能形式に変換する変換手段と、
前記目次データにおける前記複数の項目のうちのいずれかを選択する選択手段と、
当該選択手段が選択した選択項目の開始頁番号である基準開始頁番号と、前記選択項目の次の順序の項目の開始頁番号である次開始頁番号とに基づいて、前記変換手段が変換した頁のうち、前記選択項目に対応した頁を決定する選択項目頁決定手段と、
その選択項目頁決定手段によって決定された頁に対して、前記目次データに含まれている前記選択項目の名称に関連させた関連データを作成する関連データ作成手段と
を備え、
前記目次データにおける全ての項目に対して、前記選択手段、前記選択項目頁決定手段、及び前記関連データ作成手段による処理を実行して前記関連データを作成することを特徴とする画像データ変換装置。
【請求項２】
請求項１に記載の画像データ変換装置によって、前記閲覧可能形式に変換された変換画像データ及び前記関連データを読み込む読み込み手段と、
その読み込み手段によって読み込まれた前記変換画像データを表示する頁表示制御手段と、
その頁表示制御手段によって表示されている前記変換画像データに対応する頁である現在頁を、ユーザの操作に基づいて切り替えるように指示する指示手段と、
その指示手段により頁送りの指示があった場合に、前記現在頁が項目の最後頁であるかを前記関連データに基づいて判断する第一判断手段と、
その第一判断手段によって、前記現在頁が項目の最後頁であると判断された場合に、前記現在頁が属している項目である現在項目より順番が後の項目に属している頁のうち最も小さな頁番号に対応する頁を前記関連データに基づいて特定する特定手段とを備え、
前記頁表示制御手段は、前記特定手段によって特定された頁を次頁として表示することを特徴とする表示装置。
【請求項３】
請求項１又は２に記載の画像データ変換装置によって、前記閲覧可能形式に変換された変換画像データ及び前記関連データを読み込む読み込み手段と、
その読み込み手段によって読み込まれた前記変換画像データを表示する頁表示制御手段と、
その頁表示制御手段によって表示されている前記変換画像データに対応する頁である現在頁を、ユーザの操作に基づいて切り替えるように指示する指示手段と、
その指示手段により頁戻りの指示があった場合に、前記現在頁が項目の最初頁であるかを前記関連データに基づいて判断する第二判断手段と、
その第二判断手段によって、前記現在頁が項目の最初頁であると判断された場合に、前記現在頁が属している項目である現在項目より順番が前の項目に属している頁のうち最も大きな頁番号に対応する頁を前記関連データに基づいて特定する特定手段とを備え、
前記頁表示制御手段は、前記特定手段によって特定された頁を前頁として表示することを特徴とする表示装置。
【請求項４】
前記関連データに対応付けられている項目の名称の一覧を表示する項目名表示制御手段と、
前記項目名表示制御手段によって表示されている項目の名称のうちのいずれかを設定する設定手段とをさらに備え
前記頁表示制御手段は、前記関連データを参照して、前記設定手段が設定した項目の名称に対応する項目の開始頁番号を特定し、前記変換後画像データのうち、前記開始頁番号に対応する頁を表示することを特徴とする請求項２又は３に記載の表示装置。
【請求項５】
前記設定手段は、同一の頁に属している項目が複数ある場合には、それら項目を一つの項目として設定することを特徴とする請求項４に記載の表示装置。
【請求項６】
前記項目名表示制御手段は、項目の名称とともに、前記関連データを参照して各項目の開始頁番号を表示することを特徴とする請求項４又は５に記載の表示装置。
【請求項７】
１以上の頁からなる複数の項目が順序付けられてある画像データであり、前記各項目の順序、名称及び開始頁番号を含む目次データを有する画像データのフォーマットを所定の表示装置で閲覧できるような所定の閲覧可能形式に変換する画像データ変換方法であって、
前記画像データの頁ごとに、頁番号を付与しつつ前記閲覧可能形式に変換する変換ステップと、
前記目次データにおける前記複数の項目のうちのいずれかを選択する選択ステップと、
その選択ステップで選択した選択項目の開始頁番号である基準開始頁番号と、前記選択項目の次の順序の項目の開始頁番号である次開始頁番号とに基づいて、前記変換ステップで変換した頁のうち、前記選択項目に対応した頁を決定する選択項目頁決定ステップと、
その選択項目頁決定ステップによって決定された頁に対して、前記目次データに含まれている前記選択項目の名称に関連させた関連データを作成する関連データ作成ステップとから構成されていることを特徴とする画像データ変換方法。
【請求項８】
１以上の頁からなる複数の項目が順序付けられてある画像データであり、前記各項目の順序、名称及び開始頁番号を含む目次データを有する画像データのフォーマットを所定の表示装置で閲覧できるような所定の閲覧可能形式に変換する画像データ変換プログラムであって、
コンピュータに、
前記画像データの頁ごとに、頁番号を付与しつつ前記閲覧可能形式に変換する変換ステップと、
前記目次データにおける前記複数の項目のうちのいずれかを選択する選択ステップと、
その選択ステップで選択した選択項目の開始頁番号である基準開始頁番号と、前記選択項目の次の順序の項目の開始頁番号である次開始頁番号とに基づいて、前記変換ステップで変換した頁のうち、前記選択項目に対応した頁を決定する選択項目頁決定ステップと、
その選択項目頁決定ステップによって決定された頁に対して、前記目次データに含まれている前記選択項目の名称に関連させた関連データを作成する関連データ作成ステップとを実行させることを特徴とする画像データ変換プログラム。
【発明の詳細な説明】
【技術分野】
【０００１】
本発明は、画像データのフォーマットを所定の表示装置で閲覧できるような所定の閲覧可能形式に変換する画像データ変換装置、画像データ変換方法、画像データ変換プログラム及びその画像データ変換装置によって変換された画像データを表示する表示装置に関する。
【背景技術】
【０００２】
従来、画像データのフォーマットを所定の表示装置で閲覧できるような所定の閲覧可能形式に変換する画像データ変換装置が知られている（例えば特許文献１参照。）。特許文献１に記載の発明では、様々なファイルが記憶されているサーバ装置から、ユーザが所望するファイルを読み出して、そのファイルのフォーマットを端末装置（本発明の「表示装置」に相当。）で表示できるように変換する。
【先行技術文献】
【特許文献】
【０００３】
【特許文献１】特開２００８−２４３１５２号公報
【発明の概要】
【発明が解決しようとする課題】
【０００４】
ところで、画像データの中には、１以上の頁からなる複数の項目が順序付けられており、各項目の順序、名称及び開始頁番号を含む目次データを有する画像データがある。このような画像データにおいては、目次データを利用することによって、目次と各項目とをリンクさせることができる。例えば、各項目の開始頁をスキップして表示させることができる。したがって、このような画像データに対して、所定の閲覧可能形式に変換した後も、上記リンクを維持できれば、ユーザは画像データを閲覧しやすくなる。しかしながら、特許文献１に記載の発明では、目次データを含む画像データの変換方法については、なんら開示されていない。
【０００５】
本発明は、上記問題点に鑑みてなされたものであり、１以上の頁からなる項目が順序付けられて複数ある画像データであり、各項目の順序、名称及び開始頁番号を含む目次データを有する画像データのフォーマットを所定の表示装置で閲覧できるような所定の閲覧可能形式に変換する画像データ変換装置、画像データ変換方法、画像データ変換プログラムにおいて、変換後においても、目次と各項目とのリンクを維持させることを目的とする。また、この画像データ変換装置、画像データ変換方法、画像データ変換プログラムにて変換された画像データを表示する表示装置を提供することを目的とする。
【課題を解決するための手段】
【０００６】
上記目的を達成するために、請求項１の画像データ変換装置は、１以上の頁からなる複数の項目が順序付けられてある画像データであり、前記各項目の順序、名称及び開始頁番号を含む目次データを有する画像データのフォーマットを所定の表示装置で閲覧可能な所定の閲覧可能形式に変換する画像データ変換装置であって、前記画像データの頁ごとに、頁番号を付与しつつ前記閲覧可能形式に変換する変換手段と、前記目次データにおける前記複数の項目のうちのいずれかを選択する選択手段と、当該選択手段が選択した選択項目の開始頁番号である基準開始頁番号と、前記選択項目の次の順序の項目の開始頁番号である次開始頁番号とに基づいて、前記変換手段が変換した頁のうち、前記選択項目に対応した頁を決定する選択項目頁決定手段と、その選択項目頁決定手段によって決定された頁に対して、前記目次データに含まれている前記選択項目の名称に関連させた関連データを作成する関連データ作成手段とを備え、前記目次データにおける全ての項目に対して、前記選択手段、前記選択項目頁決定手段、及び前記関連データ作成手段による処理を実行して前記関連データを作成することを特徴とする。
【０００７】
請求項２に記載の表示装置は、請求項１に記載の画像データ変換装置によって、前記閲覧可能形式に変換された変換画像データ及び前記関連データを読み込む読み込み手段と、その読み込み手段によって読み込まれた前記変換画像データを表示する頁表示制御手段と、その頁表示制御手段によって表示されている前記変換画像データに対応する頁である現在頁を、ユーザの操作に基づいて切り替えるように指示する指示手段と、その指示手段により頁送りの指示があった場合に、前記現在頁が項目の最後頁であるかを前記関連データに基づいて判断する第一判断手段と、その第一判断手段によって、前記現在頁が項目の最後頁であると判断された場合に、前記現在頁が属している項目である現在項目より順番が後の項目に属している頁のうち最も小さな頁番号に対応する頁を前記関連データに基づいて特定する特定手段とを備え、前記頁表示制御手段は、前記特定手段によって特定された頁を次頁として表示することを特徴とする。
【０００８】
請求項３に記載の表示装置は、請求項１又は２に記載の画像データ変換装置によって、前記閲覧可能形式に変換された変換画像データ及び前記関連データを読み込む読み込み手段と、その読み込み手段によって読み込まれた前記変換画像データを表示する頁表示制御手段と、その頁表示制御手段によって表示されている前記変換画像データに対応する頁である現在頁を、ユーザの操作に基づいて切り替えるように指示する指示手段と、その指示手段により頁戻りの指示があった場合に、前記現在頁が項目の最初頁であるかを前記関連データに基づいて判断する第二判断手段と、その第二判断手段によって、前記現在頁が項目の最初頁であると判断された場合に、前記現在頁が属している項目である現在項目より順番が前の項目に属している頁のうち最も大きな頁番号に対応する頁を前記関連データに基づいて特定する特定手段とを備え、前記頁表示制御手段は、前記特定手段によって特定された頁を前頁として表示することを特徴とする。
【０００９】
また請求項４に記載の表示装置は、請求項２又は３において、前記関連データに対応付けられている項目の名称の一覧を表示する項目名表示制御手段と、前記項目名表示制御手段によって表示されている項目の名称のうちのいずれかを設定する設定手段とをさらに備え前記頁表示制御手段は、前記関連データを参照して、前記設定手段が設定した項目の名称に対応する項目の開始頁番号を特定し、前記変換後画像データのうち、前記開始頁番号に対応する頁を表示することを特徴とする。
【００１０】
また請求項５に記載の表示装置は、請求項４において、前記設定手段は、同一の頁に属している項目が複数ある場合には、それら項目を一つの項目として設定することを特徴とする。
【００１１】
また請求項６に記載の表示装置は、請求項４又は５において、前記項目名表示制御手段は、項目の名称とともに、前記関連データを参照して各項目の開始頁番号を表示することを特徴とする。
【００１２】
請求項７の画像データ変換方法は、１以上の頁からなる複数の項目が順序付けられてある画像データであり、前記各項目の順序、名称及び開始頁番号を含む目次データを有する画像データのフォーマットを所定の表示装置で閲覧できるような所定の閲覧可能形式に変換する画像データ変換方法であって、前記画像データの頁ごとに、頁番号を付与しつつ前記閲覧可能形式に変換する変換ステップと、前記目次データにおける前記複数の項目のうちのいずれかを選択する選択ステップと、その選択ステップで選択した選択項目の開始頁番号である基準開始頁番号と、前記選択項目の次の順序の項目の開始頁番号である次開始頁番号とに基づいて、前記変換ステップで変換した頁のうち、前記選択項目に対応した頁を決定する選択項目頁決定ステップと、その選択項目頁決定ステップによって決定された頁に対して、前記目次データに含まれている前記選択項目の名称に関連させた関連データを作成する関連データ作成ステップとから構成されていることを特徴とする。
【００１３】
請求項８の画像データ変換プログラムは、１以上の頁からなる複数の項目が順序付けられてある画像データであり、前記各項目の順序、名称及び開始頁番号を含む目次データを有する画像データのフォーマットを所定の表示装置で閲覧できるような所定の閲覧可能形式に変換する画像データ変換プログラムであって、コンピュータに、前記画像データの頁ごとに、頁番号を付与しつつ前記閲覧可能形式に変換する変換ステップと、前記目次データにおける前記複数の項目のうちのいずれかを選択する選択ステップと、その選択ステップで選択した選択項目の開始頁番号である基準開始頁番号と、前記選択項目の次の順序の項目の開始頁番号である次開始頁番号とに基づいて、前記変換ステップで変換した頁のうち、前記選択項目に対応した頁を決定する選択項目頁決定ステップと、その選択項目頁決定ステップによって決定された頁に対して、前記目次データに含まれている前記選択項目の名称に関連させた関連データを作成する関連データ作成ステップとを実行させることを特徴とする。
【発明の効果】
【００１４】
請求項１の画像データ変換装置によれば、変換手段は、画像データの頁ごとに、頁番号を付与しつつ閲覧可能形式に変換する。また、選択手段は、複数の項目のうちのいずれかを選択する。選択項目頁決定手段は、選択手段が選択した選択項目の開始頁番号である基準開始頁番号と、選択項目の次の順序の項目の開始頁番号である次開始頁番号とに基づいて、変換手段が変換した頁のうち、選択項目に対応した頁を決定する。関連データ作成手段は、選択項目頁決定手段によって決定された頁に対して、目次データに含まれている選択項目の名称に関連させた関連データを作成する。
【００１５】
こうすることによって、選択手段によって選択された項目については、関連データが作成されるので、開始頁の頁番号、及び、それ以外の頁の頁番号が項目の名称とリンクすることになる。すなわち変換後においても、目次（項目の名称）と項目とのリンクを維持させることができる。
【００１６】
また、請求項２の表示装置によれば、読み込み手段は、請求項１に記載の画像データ変換装置によって、閲覧可能形式に変換された変換画像データ及び関連データを読み込む。頁表示制御手段は、読み込む読み込み手段によって読み込まれた変換画像データを表示する。指示手段は、頁表示制御手段によって表示されている前記変換画像データに対応する頁である現在頁を、ユーザの操作に基づいて切り替えるように指示する。そして第一判断手段は、指示手段により頁送りの指示があった場合に、現在頁が項目の最後頁であるかを関連データに基づいて判断する。特定手段は、第一判断手段によって、現在頁が項目の最後頁であると判断された場合に、現在頁が属している項目である現在項目より順番が後の項目に属している頁のうち最も小さな頁番号に対応する頁を関連データに基づいて特定する。そして、頁表示制御手段は、特定手段によって特定された頁を次頁として表示する。
【００１７】
このように、頁送りの指示があった場合には、項目の順番に頁が切り替わるので、ユーザは目次の順番に従って画像の内容を把握することができる。その際、同一の頁に複数の項目があったとしても、同じ頁が繰り返し表示されることはない。
【００１８】
また、請求項３に記載の表示装置によれば、頁戻りの切り替え指示があった場合には、項目の逆順に頁が切り替わるので、ユーザは目次の逆順に従って画像の内容を把握することができる。その際、同一の頁に複数の項目があったとしても、同じ頁が繰り返し表示されることはない。
【００１９】
また請求項４に記載の表示装置によれば、頁番号が小さい頁から順番にアクセスして、表示させたい項目の開始頁にたどり着く場合よりも、迅速に項目の開始頁を表示できる。また、ユーザは、所望する項目の開始頁が表示されるまで、頁番号にしたがって順番に頁を表示させていく必要がなく、項目単位で、表示する開始頁を切り替えることができるので、ユーザの使い勝手が良い閲覧端末であるといえる。また、項目名表示制御手段によって、項目の名称の一覧が表示されるので、ユーザは画像データがどのような項目から成り立っているのかを一見して把握できる。
【００２０】
また請求項５に記載の表示装置によれば、同一の頁に複数の項目があったとしても、ユーザは一度の操作で次の頁の項目に切り替えることができる。
【００２１】
また請求項６に記載の表示装置によれば、ユーザはどの項目が何頁にあるのかを一見して把握することができる。
【００２２】
請求項７に記載の画像データ変換方法によれば、請求項１に記載の発明と同じ効果が得られる。また請求項８の画像データ変換プログラムをコンピュータに実行させれば、請求項１に記載の発明と同じ効果が得られる。
【図面の簡単な説明】
【００２３】
【図１】画像データ変換装置１００と表示装置２００とを接続した状態を示す斜視図である。
【図２】表示装置２００の電気的構成を示したブロック図である。
【図３】画像データ変換装置１００の電気的構成を示したブロック図である。
【図４】ハードディスク装置１４に記憶されている画像データ７０の構成示す概念図である。
【図５】目次データ７１のデータ構造を示した図である。
【図６】項目７１１の詳細を例示した図である。
【図７】本文データ７２の詳細を示した図である。
【図８】変換処理を示したフローチャートである。
【図９】関連データ８０１を示した図である。
【図１０】関連データ８０３を示した図である。
【図１１】全ての項目４０１〜４４０に対する関連データ８０１〜８４０を示した図である。
【図１２】メモリカード２１１の画像ファイル記憶エリア１２０に記憶されている変換画像データ９０１〜９０３と関連データ８００１〜８００３とを示した図である。
【図１３】は、表示装置２００のＣＰＵ９０が実行する頁を切り替える画像表示処理のメインルーチンである。
【図１４】頁順送り処理を示したフローチャートである。
【図１５】頁逆送り処理を示したフローチャートである。
【図１６】表示装置２００に表示されている目次を示した図である。
【図１７】変形例における表示装置２００に表示されている目次を示した図である。
【図１８】変形例における表示装置２００に表示されている目次を示した図である。
【発明を実施するための形態】
【００２４】
以下、本発明に係る画像データ変換装置及び表示装置の実施形態を図面を参照して説明する。本実施形態では、図１に示すように、所定寸法の矩形状の画面を有し当該画面に画像を表示する表示装置２００と、当該表示装置２００用のデータ形式で文書や画像を表示させるために、元の文書データや画像データを変換する画像データ変換装置１００とが使用される。一般に、文書データは、当該文書データの作成に使用されたワードプロセッサ特有の形式やＰＤＦ形式等で作成されている。また、画像データも各種のデータ形式のものが存在している。これらの文書データや画像データを表示装置２００で表示するためには、当該文書データや画像データが表示装置２００用のデータに画像データ変換装置１００で変換される。
【００２５】
以下の実施の形態では、表示装置２００は、一例として、ビットマップを閲覧可能形式としているものとする。通常、１以上の頁からなる複数の項目が順序付けられてあるＰＤＦ形式などの画像データを表示装置２００で表示する場合は、当該画像データの内部にテキスト情報（フォントや色や文字情報など）を持っているため、表示装置２００での展開時に変換が必要となる。本実施の形態では、表示装置２００で画像データを表示する際の負荷を低減させるために、画像データ変換装置１００で予めビットマップ形式などの画素展開された画像データを作成して、表示装置２００に転送している。この場合には、既に、画素展開されたデータなので、表示装置２００は、そのまま表示するだけでよい。
【００２６】
図１に示すように、画像データ変換装置１００には、表示装置２００が一例としてＵＳＢケーブル３０で接続されて、表示用のデータが画像データ変換装置１００から表示装置２００に転送される。この画像データ変換装置１００の一例としては、パーソナルコンピュータ等を用いることができる。
【００２７】
以下、表示装置２００の物理的構成を説明する。図１に示すように、表示装置２００の各構成は筐体２０１に収容されており、筐体２０１の表面には表示パネル２０２、十字キー２０３、操作ボタン２０４が設けられている。その表示パネル２０２に各種画像が表示されるとともに、ユーザは、十字キー２０３、操作ボタン２０４で表示パネル２０２に表示させる画像の切り替え操作等の各種操作ができる。表示装置２００の表示パネル２０２に表示できる画像のフォーマットとしては、例えばビットマップ形式が予め定められている。このように、表示装置２００では、表示可能な画像のフォーマットが定められているために、表示可能なフォーマットと異なるフォーマットの画像を表示装置２００で表示させるために、その画像を表示装置２００で表示できるように変換する必要がある。そこで、本発明に係る画像データ変換装置１００が用いられる。
【００２８】
なお、本実施形態の表示装置２００は、電気泳動を利用して各種データを表示する表示装置であり、電源が断たれてもその直前の表示を保持する不揮発性の表示装置である。表示原理等は公知であるので、ここでは説明を省略する。また表示装置２００で表示できるファイル形式（閲覧可能形式）は、ビットマップ形式である。したがって、ビットマップ形式以外のファイルを表示装置２００で表示させるためには、そのファイルをビットマップ形式に変換する必要がある。その変換は、画像データ変換装置１００のＣＰＵ１０（図３参照）による変換処理にて実行される。
【００２９】
次に、図２を参照して、表示装置２００の電気的構成を説明する。図２に示すように、表示装置２００は、主制御を行うＣＰＵ９０と、ＲＯＭ９１と、ＲＡＭ９２と、ＥＥＰＲＯＭ９３と、十字キー２０３と、操作ボタン２０４と、電源ボタン９と、表示パネル２０２に接続された表示コントローラ５１と、バッテリ５に接続された電源コントローラ５２と、メモリカード２１１が着脱可能なメモリカードインターフェイス５３と、ＵＳＢインターフェイス８とが、バスを介して接続されている。ＣＰＵ９０は、表示装置２００の制御を行う。ＲＯＭ９１は、表示装置２００を動作させる制御プログラムや、表示装置２００の動作に関わる設定情報を記憶する。ＲＡＭ９２は、各種データを一時的に記憶するメモリである。ＥＥＰＲＯＭ９３は、各種データを記憶する不揮発性メモリである。尚、ＵＳＢインターフェイス５３に、図１に示すＵＳＢケーブル３０が接続可能となっている。また、メモリカード２１１は、一例として、ＳＤメモリカードやＳＤＨＣメモリカードを使用できる。
【００３０】
表示コントローラ５１は、表示パネル２０２での画像表示を制御する。電源コントローラ５２は、表示装置２００に内蔵されて電源を供給するバッテリ５の充放電を制御したり、バッテリ５の電池残量や電圧低下を検知したり、表示装置２００に供給する電圧を制御したりする。なお、表示装置２００は、図示外の外部電源から電力供給を受けていない場合には、バッテリ５の電力で駆動される。メモリカードインターフェイス５３は、カードスロットに挿入されたメモリカード２１１に対する画像データの読出・書込を行う。
【００３１】
本実施形態の表示装置２００では、メモリカード２１１に記憶されているビットマップ形式の画像データが表示パネル２０２に表示される。そして、十字キー２０３から頁送りや頁戻りなどが指示されると、表示パネル２０２に表示されている一の頁画面が、ユーザの操作に応じた他の頁画面に書き換えられる。また、メモリカード２１１には、複数の頁によって構成されるコンテンツ（言い換えると、複数の頁画面をそれぞれ表示するために必要なデータやファイル）が記憶されている。詳細には、メモリカード２１１には、後述の管理ファイルを記憶する管理ファイル記憶エリア１１０と、後述の画像ファイルを記憶する画像ファイル記憶エリア１２０とが設けられている。
【００３２】
なお、本実施形態では、メモリカード２１１に記憶されているコンテンツは、複数の頁で構成された文書であるものとする。表示装置２００のユーザは、表示パネル２０２に表示される頁画面を切り換える、つまり、頁送り又は頁戻しすることによって、コンテンツの全体を閲覧することができる。
【００３３】
次に、画像データ変換装置１００の電気的構成を図３を参照して説明する。図３に示すように、画像データ変換装置１００は、一例としては、周知のパーソナルコンピュータである。図３に示すように、本実施の形態の画像データ変換装置１００は、主制御を司るＣＰＵ１１にＢＩＯＳ等を記憶したＲＯＭ１２と、各種データを一時的に記憶するＲＡＭ１３とが接続されている。また、ＣＰＵ１１には、インターフェイス１０が接続されて、インターフェイス１０には、ハードディスク装置１４と、ＣＤ・ＤＶＤドライブ装置１５とが接続されている。尚、ハードディスク装置１４は、ＳＳＤやフラッシュメモリ等で構成しても良い。また、ＣＤ・ＤＶＤドライブ装置１５には、コンピュータプログラムやデータの記憶媒体としてのＣＤやＤＶＤの記憶媒体１５ａが挿入可能となっている。この記憶媒体１５ａから読み出された本実施の形態の処理を行うコンピュータプログラムは、ハードディスク装置１４のプログラム記憶領域１４２に記憶されるようになっている。
【００３４】
また、インターフェイス１０には、ビデオコントローラ１６、キーコントローラ１７、マウスコントローラ２０、通信インターフェイス２３、ＵＳＢインターフェイス２２及びメモリカードインターフェイス２４には、メモリカード２１１が接続され、ビデオコントローラ１６には、ディスプレイ１８が接続され、キーコントローラ１７には、キーボード１９が接続され、マウスコントローラ２０には、マウス２１が接続されている。また、通信インターフェイス２３により画像データ変換装置１００は図示外の通信ネットワークに接続可能となっている。さらに、ＵＳＢインターフェイス２２に、図１に示すＵＳＢケーブル３０で表示装置２００が接続可能となっている。 画像データ変換装置１００で変換された画像データは、ＵＳＢケーブル３０を介して表示装置２００のメモリカード２１１に書き込まれる。
【００３５】
そして、ＣＰＵ１１は、一時的にデータを記憶するＲＡＭ１３を利用しつつ、ハードディスク装置１４のプログラム記憶領域１４２に記憶されているプログラムにしたがって画像データのフォーマットを変換する変換処理を実行する。変換処理の詳細については、後述のフローチャートを参照して説明する。なお、ＲＡＭ１３には変換処理が実行される際に用いられる項目変数ｎ、開始頁変数ｘ及び最後頁変数ｙの記憶領域が設けられている。
【００３６】
ディスプレイ１８は、例えば液晶ディスプレイやブラウン管から構成され、各種データを表示するものである。また、キーボード１９やマウス２１からは、上記変換処理の開始を指示する開始指示信号が入力される。また通信インターフェイス２３は外部機器と通信するためにその外部機器と接続するためのインターフェイスである。
【００３７】
ハードディスク装置１４は、公知のハードディスクドライブであり、各種データを記憶するものである。本実施形態ではハードディスク装置１４には、画像データ記憶領域１４１と、プログラム記憶領域１４２と、関連データ記憶領域１４３とが設けられている。画像データ記憶領域１４１には、ＣＰＵ１１による変換処理にて変換の対象となる画像データが記憶されている。その画像データは、１以上の頁からなる項目が順序付けられて複数ある画像データであり、各項目の順序、名称及び開始頁番号を含む目次データを有する。図４はハードディスク装置１４に記憶されている画像データ７０の構成を説明するための図である。図４に示すように、ハードディスク装置１４の画像データ記憶領域１４１に記憶されている画像データ７０は、ＰＤＦ形式のデータであり、目次データ７１と本文データ７２とからなる。目次データ７１は、本文データ７２で示される文書の目次を示したデータであって、上述したように各項目の順序、名称及び開始頁番号を含む。
【００３８】
図５は、目次データ７１のデータ構造を示した図である。図５に示すように、目次データ７１は、名称が「ＡＡＡ動作説明書」の項目７１１、「ＢＢＢ保守マニュアル」の項目７１２、「ＣＣＣパンフレット」の項目７１３に区分されている。それら項目７１１〜７１３は、項目７１１、項目７１２、項目７１３の順にＩＤ番号が、１，２，３と付されて順序付けられている。また各項目７１１〜７１３は、さらに複数の項目を有している。
【００３９】
図６は、項目７１１の「ＡＡＡ動作説明書_ｉｎｄｅｘ」の詳細を例示した図であり、項目７１１は、名称が「Ｉ．機器概要」の項目４０１、「１．各部名称・機能」の項目４０２、「（１）本体部」の項目４０３、「（２）リモコン操作部」の項目４０４・・・、「Ｖ．故障かな、と思ったら」の項目４４０からなる。各項目４０１〜４４０には、項目４０１、項目４０２・・・項目４４０の順に順序付けられている。また、各項目４０１〜４４０は、本文中における各項目４０１〜４４０の開始頁番号が対応付けられたインデックスファイルを有しており、例えば項目４０１のインデックスファイルは「１頁」に対応付けられたものであり（図６に、「１Ｐ」と表示）、項目４０２のインデックスファイルは「１頁」に対応付けられたものである（図６に、「１Ｐ」と表示）。また項目４０３のインデックスファイルは「１頁」に対応付けられたものであり（図６に、「１Ｐ」と表示）、項目４０４のインデックスファイルは「３頁」に対応付けられたものであり（図６に、「３Ｐ」と表示）、項目４４０のインデックスファイルは「３０頁」に対応付けられたものである（図６に、「３０Ｐ」と表示）。
【００４０】
一方、図７は本文データ７２の詳細を示した図である。図７に示すように、本文データ７２には、本文を構成する各頁を示したＰＤＦ形式の画像データが、順序付けられて記憶されている。その順序が頁番号となる。従って、１頁目に「画像１．ｐｄｆ」ファイルが記憶され、２頁目に「画像２．ｐｄｆ」ファイルが記憶され、３頁目に「画像３．ｐｄｆ」ファイルが記憶され、３０頁目に「画像３０．ｐｄｆ」ファイルが記憶されている。
【００４１】
このような構成の画像データ７０を画像データ変換装置１００のディスプレイ１８で表示させる場合には、本文データ７２の各頁を示した画像（図７参照）が読み出されて、その読み出した画像がディスプレイ１８で表示されることになる。この際ディスプレイ１８には画面をスクロールするスクロールバーが表示され、画像データ変換装置１００に接続されたキーボード１９やマウス２１等でそのスクロールバーを操作することによって、画面をスクロールさせることができる。それにともない、頁が切り替わっていく。
【００４２】
また目次データ７１で示される目次も表示させることができる。そして、ユーザはその目次を構成する項目のいずれかをキーボード１９やマウス２１等で指示することによって、その指示した項目の開始頁番号に対応する画像に表示を切り替えることができる。例えば、「Ｖ．故障かな、と思ったら」の項目４４０を指示した場合には、図６に示す項目４４０のインデックスファイルが参照されて、図７の本文データ７２の中から「３０頁」に相当する画像が読み出されて、その画像が表示されることになる。このように、画像データ７０は目次データ７１を有しているので、ユーザは閲覧したい項目の開始頁を容易に表示させることができる。
【００４３】
続いて、画像データ変換装置１００のＣＰＵ１１が実行する変換処理について、フローチャートを参照して説明する。ここでは、上述した画像データ７０のうちの「ＡＡＡ動作説明書７１１」（図４〜図７参照）が変換処理でビットマップ形式に変換されるものとして説明する。図８は画像データ変換装置１００のＣＰＵ１１が実行する変換処理を示したフローチャートである。図８に示すフローチャートのプログラムは、画像データ変換装置１００のハードディスク装置１４のプログラム記憶領域１４２に記憶されている。なお、この変換処理は、画像データ変換装置１００において、図８に示すフローチャートのプログラムがハードディスク装置１４のプログラム記憶領域１４２から読み出されて起動し、キーボード１９又はマウス２１から変換処理の開始指示が入力されたときに開始される。
【００４４】
先ず、ハードディスク装置１４の画像データ記憶領域１４１に記憶されている画像データ７０の本文データ７２を読み出して、その本文データ７２の各頁に対応した画像データの画素展開を行ってビットマップ形式に変換し、ＲＡＭ１３に記憶する（Ｓ１１）。この際、変換後の各画像データにそれぞれの頁番号を付与する（Ｓ１１）。この頁番号の付与の基準は、一例として、変換元の画像データの各頁順序に基づいて、その順序で頁番号を付与する。
【００４５】
次いで、ハードディスク装置１４に記憶されている画像データ７０のインデックス情報である目次データ７１（図５、図６参照）を読み出して、ＲＡＭ１３に記憶する（Ｓ１２）。そしてＲＡＭ１３に記憶されている項目変数ｎに１を代入する（Ｓ１３）。（以下、「ｎ」とは、ＲＡＭ１３に記憶されている項目変数ｎのことを言う。）次いで、ＲＡＭ１３に記憶されている目次データ７１の項目７１１に含まれている項目４０１〜４４０のうち、ｎ番目の項目４０１〜４４０を選択する（Ｓ１４）。最初は、項目変数ｎの値は「１」であるので、１番目の項目４０１が選択されることになる（Ｓ１４）。そして、選択した項目４０１〜４４０のインデックスファイルを参照して、その項目４０１〜４４０の開始頁番号（基準開始頁番号）を、ＲＡＭ１３に記憶されている開始頁変数ｘに代入する（Ｓ１５）。項目４０１の場合には、図６に示すように基準開始頁番号が「１」であるので、開始頁変数ｘの値は「１」となる（Ｓ１５）。
【００４６】
次いで、（ｎ＋１）番目の項目４０１〜４４０のインデックスファイルを参照して、（ｎ＋１）番目の項目４０１〜４４０の開始頁番号（次開始頁番号）の一つ前の頁番号が、開始頁変数ｘよりも大きいか否かを判断する（Ｓ１６）。Ｓ１６の判断を言い換えて説明すると、基準開始頁番号と次開始頁番号との差が２頁以上か否かを判断していることになる。例えば、項目変数ｎの値が「１」とすると、次開始頁番号は、図６に示すように、２番目の項目４０２のインデックスファイルが「１Ｐ」であるので、開始頁番号である「１」となる。したがって、次開始頁番号の一つ前の頁番号は「０」、すなわち基準開始頁番号と次開始頁番号との差が２頁より小さいことになり、Ｓ１６は否定判断される（Ｓ１６：ＮＯ）。一方で、項目変数ｎの値が「３」の場合には、図６に示すように、項目４０３のインデックスファイルが「１Ｐ」であるので、開示頁番号（基準開始頁番号）は「１」であり、項目４０４のインデックスファイルが「３Ｐ」であるので、開始頁番号（次開始頁番号）は「３」である。したがって、基準開始頁番号「１」と次開始頁番号「３」との差が２頁となるので、Ｓ１６は肯定判断される（Ｓ１６：ＹＥＳ）。
【００４７】
そして、次開始頁番号の一つ前の頁番号が基準開始頁番号以下の場合には（Ｓ１６：ＮＯ）、開始頁変数ｘと同じ値を、ＲＡＭ１３に記憶されている最後頁変数ｙに代入する（Ｓ１９）。そして、ＲＡＭ１３に記憶されているビットマップ形式の画像データのうち、開始頁変数ｘ＝最後頁変数ｙの頁番号の画像データを、ｎ番目の項目４０１〜４４０の名称に関連させた関連データ（インデックスファイル）を作成して、その関連データをハードディスク装置１４の関連データ記憶領域１４３に記憶する（Ｓ２０）。例えば、項目変数ｎの値が「１」の場合には、開始頁変数ｘ及び最後頁変数ｙが「１」であるので、１頁の画像データを、項目４０１の名称である「Ｉ．機器概要」に関連させた関連データ８０１が作成されることになる（Ｓ２０）。図９はその関連データ８０１を示した図である。図９に示すように、関連データ８０１は、項目４０１の名称である「Ｉ．機器概要」に、１頁の画像データである「ＡＡＡ動作説明書＿１．ｂｍｐ」が関連されているのがわかる。
【００４８】
一方、Ｓ１６において、次開始頁番号の一つ前の頁番号が基準開始頁番号（開始頁変数ｘ）よりも大きい場合には（Ｓ１６：ＹＥＳ）、次開始頁番号（ｎ＋１）の一つ前の頁番号の値を、ＲＡＭ１３に記憶されている最後頁変数ｙに代入する（Ｓ１８）。そして、ＲＡＭ１３に記憶されているビットマップ形式の画像データのうち、開始頁変数ｘから最後頁変数ｙまでの頁番号の画像データを、ｎ番目の項目４０１〜４４０の名称に関連させた関連データを作成して、その関連データをハードディスク装置１４の関連データ記憶領域１４３に記憶する（Ｓ２０）。例えば、項目変数ｎの値が「３」の場合には、開始頁変数ｘが「１」、最後頁変数ｙが「２」であるので、１頁及び２頁の画像データを、項目４０３の名称である「（１）本体部」に関連させた関連データ８０３が作成されることになる（Ｓ２０）。図１０はその関連データ８０３を示した図である。図１０に示すように、関連データ８０３は、項目４０３の名称である「（１）本体部」に、１頁の画像データである「ＡＡＡ動作説明書＿１．ｂｍｐ」及び２頁の画像データである「ＡＡＡ動作説明書＿２．ｂｍｐ」が関連されているのがわかる。
【００４９】
Ｓ１８又はＳ１９の処理の後、項目変数ｎが、項目４０１〜４４０の総数ｎｍａｘであるか否かを判断する（Ｓ２１）。項目変数ｎが総数ｎｍａｘ未満の場合には（Ｓ２１：ＮＯ）、項目変数ｎの値を１加算して（Ｓ２２）、Ｓ１４の処理に戻り、新たな項目変数ｎに対して、上述したＳ１４〜Ｓ２０の処理を実行して関連データを作成する。そして項目変数ｎが総数ｎｍａｘになるまで（Ｓ２１：ＹＥＳ）、Ｓ１４〜Ｓ２０の処理が実行されることになる。すなわち、全ての項目４０１〜４４０に対して関連データ８０１〜８４０が作成されることになる。
【００５０】
図１１は全ての項目４０１〜４４０に対する関連データ８０１〜８４０を示した図である。図１１に示すように、先に示した項目４０１に対する関連データ８０１、項目４０３に対する関連データ８０３の他、他の項目４０１〜４４０に対しても関連データ８０１〜８４０が作成されていることがわかる。また、関連データ８０１〜８４０間において、関連されている関連データが重複している場合がある。尚、作成された関連データとビットマップ形式のデータは、画像データ変換装置１００のＵＳＢインターフェイス２２からＵＳＢケーブル３０を介して、表示装置２００のＵＳＢインターフェイス８に送り込まれ、メモリカードインターフェイス５３に装着されているメモリカード２１１の画像ファイル記憶エリア１２０に記憶される。尚、作成された関連データとビットマップ形式のデータは、画像データ変換装置１００のメモリカードインターフェース２４に接続されたメモリカード２１１に記憶されて、当該メモリカード２１１を表示装置２００のメモリカードインターフェイス５３に接続して、データを受け渡しても良い。
【００５１】
そして、項目変数ｎが総数ｎｍａｘとなった場合には（Ｓ２１：ＹＥＳ）、図８に示す変換処理が終了する。また、項目７１２対する関連データ８００２、項目７１３に対する関連データ８００３も作成する（Ｓ１１〜Ｓ２２）。
【００５２】
以上説明したように、変換処理によって、画像データ７０はビットマップ形式の画像データである変換画像データ９０１〜９０３と関連データ８００１〜８００３とに変換される。なお、以下、変換画像データのうち、項目７１１に対する変換画像データ９０１と、項目７１２に対する変換画像データ９０２と、項目７１３に対する変換画像データ９０３という。そして表示装置２００は、その変換画像データ９０１〜９０３と関連データ８００１〜８００３とをメモリカードインターフェイス５３によりメモリカード２１１から読み込んで（読み込み手段）、表示パネル２０２に表示させることができる。
【００５３】
図１２は、表示装置２００のメモリカード２１１の画像ファイル記憶エリア１２０に記憶されている変換画像データ９０１〜９０３と関連データ８００１〜８００３とを示した図である。なお、以下、図１１に示す関連データ８０１〜８４０を総称して関連データ８００１という。図１２に示すメモリカード２１１の画像ファイル記憶エリア１２０には、上記の変換処理によって生成されたビットマップ形式の画像データである変換画像データ９０１へのリンクを示すインデックスデータである関連データ８００１が記憶されている。また、変換画像データ９０２へのリンクを示すインデックスデータである各関連データ８００２が記憶され、変換画像データ９０３へのリンクを示すインデックスデータである各関連データ８００３も記憶されている。
【００５４】
そして、ユーザは、表示装置２００を操作することにより、メモリカード２１１に記憶されている変換画像データ９０１〜９０３を閲覧することができる。この際、図１に示す十字キー２０３、操作ボタン２０４を操作して、現在表示パネル２０２に表示されている頁を切り替えることができる。ただし、変換画像データ９０１〜９０３のそれぞれは、先に示した関連データ８００１〜８００３内においてのみ順序付けられている。例えば、図１１に示す関連データ８０３に関連されている「ＡＡＡ動作説明書＿１．ｂｍｐ」と「ＡＡＡ動作説明書＿２．ｂｍｐ」とは順序付けられているが、それらと関連データ８４０に関連されている「ＡＡＡ動作説明書＿３０．ｂｍｐ」とは順序付けられていない。ただし、関連データ８０１〜８４０はこの順序で順序付けられている。
【００５５】
そこで、表示装置２００のＣＰＵ９０は、関連データ間の順序を利用して、現在表示パネル２０２に表示されている頁を切り替える画像表示処理を実行する。以下、画像表示処理について、図１３乃至図１５のフローチャートを参照して説明する。図１３は、表示装置２００のＣＰＵ９０が実行する頁を切り替える画像表示処理のメインルーチンである。図１４は、頁順送り処理のサブルーチンのフローチャートである。また、図１５は、頁逆送り処理のサブルーチンのフローチャートである。
【００５６】
なお、以下関連データ８００１〜８００３を総称して関連データ８０００（図１２参照）という。この関連データ８０００は、目次データ７１に含まれている各項目に対応した関連データの集まりであるといえる。そして各関連データに順序付けられている。
【００５７】
はじめに画像表示処理のうち、十字キー２０３の右部２０３Ａ（図１参照）が押圧された場合には（Ｓ１：ＹＥＳ）、頁順送り処理を行う（Ｓ２）。頁順送り処理（Ｓ２）は、図１４に示す頁順送り処理のサブルーチンによって行われる。なお、頁順送り処理が実行される前提として、メモリカード２１１に記憶されている変換画像データのいずれかが表示パネル２０２に表示されているものとする。
【００５８】
図１４に示す頁順送り処理では、先ず、メモリカード２１１に記憶されている関連データ８０００を参照して、現在表示パネル２０２に表示されている頁（以下、「現在頁」という。）が属している関連データ（以下「現在項目」という）を特定する（Ｓ３１）。そして、現在頁が、現在項目に関連されている変換画像データのうちの最後の変換画像データを示した頁（以下、「最後頁」という。）であるか否かを判断する（Ｓ３１）。現在頁が最後頁ではない場合には（Ｓ３１：ＮＯ）、Ｓ３１にて特定した関連データ８０００を参照して、現在頁の次の頁に相当する変換画像データを表示して（Ｓ３２）、頁順送り処理を終了する。すなわち、現在項目のうちの、現在頁の次の頁が表示されることになる。例えば、現在項目が関連データ８０３であって（図１１参照）、現在頁が「ＡＡＡ動作説明書＿１．ｂｍｐ」である場合には、その関連データ８０３に含まれている「ＡＡＡ動作説明書＿１．ｂｍｐ」の次の変換画像データである「ＡＡＡ動作説明書＿２．ｂｍｐ」が表示されることになる（Ｓ３２）。
【００５９】
一方、現在頁が最後頁である場合には（Ｓ３１：ＹＥＳ）、メモリカード２１１に記憶されている関連データ８０００を参照して、現在項目の次の順番の関連データ（以下「次項目」という。）が存在するか否かを判断する（Ｓ３３）。次項目がない場合には（Ｓ３３：ＮＯ）、頁順送り処理を終了する。この場合、次に表示する頁がないとして、現在頁の表示が維持されることになる。
【００６０】
一方、次項目がある場合には（Ｓ３３：ＹＥＳ）、次項目を切り替え先項目として設定する（Ｓ３４）。次いで、現在項目に関連されている変換画像データ群と、切り替え先項目に関連されている変換画像データ群との間で共通する変換画像データを、切り替え先項目に関連されている変換画像データの集まりの中から除く（Ｓ３５）。そして、その残りの変換画像データの集まりを仮画像データ群として設定する（Ｓ３５）。次いで、その仮画像データ群に１つ以上の変換画像データが含まれているか否かを判断する（Ｓ３６）。含まれている場合には（Ｓ３６：ＹＥＳ）、仮画像データ群のうちの最小の頁番号の頁に相当する変換画像データを表示して（Ｓ３９）、頁順送り処理を終了し、メインルーチンに戻る。
【００６１】
ここで、Ｓ３３〜Ｓ３９の処理を、図１１に示す関連データ８０１〜８４０を例にとって説明する。例えば、現在項目が関連データ８０２であって、現在頁が「ＡＡＡ動作説明書＿１．ｂｍｐ」である場合を想定する（図１１参照）。この場合、関連データ８０２の次に関連データ８０３があることになり（Ｓ３３：ＹＥＳ）、その関連データ８０３が切り替え先項目に設定される（Ｓ３４）。次いで、現在項目に関連されている変換画像データ（「ＡＡＡ動作説明書＿１．ｂｍｐ」）と、切り替え先項目に関連されている変換画像データ（「ＡＡＡ動作説明書＿１．ｂｍｐ」、「ＡＡＡ動作説明書＿２．ｂｍｐ」）との間で共通する変換画像データは、「ＡＡＡ動作説明書＿１．ｂｍｐ」となる。したがって、切り替え先項目に関連されている変換画像データの集まり（以下、「変換画像データ群」とも言う。）（「ＡＡＡ動作説明書＿１．ｂｍｐ」、「ＡＡＡ動作説明書＿２．ｂｍｐ」）の中から、「ＡＡＡ動作説明書＿１．ｂｍｐ」が除かれる（Ｓ３５）。そして、その残りの変換画像データの集まり（変換画像データ群）（「ＡＡＡ動作説明書＿２．ｂｍｐ」）が仮画像データ群として設定される（Ｓ３５）。その仮画像データ群に１つ以上の変換画像データが含まれているので（Ｓ３６：ＹＥＳ）、仮画像データ群のうちの最小の頁番号の頁に相当する変換画像データ（「ＡＡＡ動作説明書＿２．ｂｍｐ」）が表示されることになる（Ｓ３９）。
【００６２】
またＳ３６において、仮画像データ群に１つ以上の変換画像データが含まれていない場合には（Ｓ３６：ＮＯ）、次項目のさらに次の順番の関連データがあるか否かを判断する（Ｓ３７）。無い場合には（Ｓ３７：ＮＯ）、頁順送り処理を終了する。この場合、次に表示する頁がないとして、現在頁の表示が維持されることになる。一方、次項目のさらに次の順番の関連データがある場合には（Ｓ３７：ＹＥＳ）、その関連データを新たな切り替え先項目として設定する（Ｓ３８）。そして、上述したＳ３５〜３８の処理を実行する。これによって、現在項目より順番が後の関連データに属している変換画像データのうち最も小さな頁番号に対応する頁に相当する変換画像データが表示されることになる。
【００６３】
ここで、Ｓ３５〜Ｓ３９の処理を、図１１に示す関連データ８０１〜８４０を例にとって説明する。例えば、現在項目が関連データ８０１であって、現在頁が「ＡＡＡ動作説明書＿１．ｂｍｐ」である場合を想定する（図１１参照）。この場合、関連データ８０１の次に関連データ８０２があり、ともに「ＡＡＡ動作説明書＿１．ｂｍｐ」の変換画像データのみ関連させている。したがって、仮画像データ群には変換画像データが含まれないことになり（Ｓ３６：ＮＯ）、新たに関連データ８０３が切り替え先項目として設定される。その関連データ８０３には、「ＡＡＡ動作説明書＿１．ｂｍｐ」と「ＡＡＡ動作説明書＿２．ｂｍｐ」の２つの変換画像データが関連されているので、仮画像データ群は「ＡＡＡ動作説明書＿２．ｂｍｐ」を含むことになる（Ｓ３５）。したがって、仮画像データ群に１つ以上の変換画像データが含まれているので（Ｓ３６：ＹＥＳ）、仮画像データ群のうちの最小の頁番号の頁に相当する変換画像データ（「ＡＡＡ動作説明書＿２．ｂｍｐ」）が表示されることになる（Ｓ３９）。
【００６４】
以上説明したように、ユーザは十字キー２０３の右部２０３Ａを操作すると、表示を次の頁に順送りに切り替えることができる。また、次に表示する頁がないときには、現在の表示が維持されることになる。尚、上記実施の形態では、通常の頁送りだと次の項目の最初の頁を表示してしまうところを、同一頁ならその次の頁を表示することができる。
【００６５】
次に、画像表示処理のうち、十字キー２０３の左部２０３Ｂが押圧されたときの処理（以下「頁逆送り処理」という。）を説明する。十字キー２０３の左部２０３Ｂが押圧された場合には（図１３：Ｓ１：ＮＯ、Ｓ３：ＹＥＳ）、頁逆送り処理を行う（Ｓ４）。頁逆送り処理（Ｓ４）は、図１５に示す頁逆送り処理のサブルーチンによって行われる。尚、頁逆送り処理が実行される前提として、メモリカード２１１に記憶されている変換画像データのいずれかが表示パネル２０２に表示されているものとする。
【００６６】
図１５に示す頁逆送り処理では、先ず、メモリカード２１１に記憶されている関連データ８０００を参照して、現在項目を特定する（Ｓ５１）。そして、現在頁が、現在項目に関連されている変換画像データのうちの最初の変換画像データを示した頁（以下、「最初頁」という。）であるか否かを判断する（Ｓ５１）。現在頁が最初頁ではない場合には（Ｓ５１：ＮＯ）、Ｓ５１にて特定した関連データ８０００を参照して、現在頁の一つ前の頁に相当する変換画像データを表示して（Ｓ５２）、頁逆送り処理を終了する。すなわち、現在項目のうちの、現在頁の一つ前の頁が表示されることになる。例えば、現在項目が関連データ８０３であって（図１１参照）、現在頁が「ＡＡＡ動作説明書＿２．ｂｍｐ」である場合には、その関連データ８０３に含まれている「ＡＡＡ動作説明書＿２．ｂｍｐ」の一つ前の変換画像データである「ＡＡＡ動作説明書＿１．ｂｍｐ」が表示されることになる（Ｓ５２）。
【００６７】
一方、現在頁が最初頁である場合には（Ｓ５１：ＹＥＳ）、メモリカード２１１に記憶されている関連データ８０００を参照して、現在項目の一つ前の順番の関連データ（以下「前項目」という。）が存在するか否かを判断する（Ｓ５３）。前項目がない場合には（Ｓ５３：ＮＯ）、頁逆送り処理を終了する。この場合、表示する頁が一つ前にないとして、現在頁の表示が維持されることになる。
【００６８】
一方、前項目がある場合には（Ｓ５３：ＹＥＳ）、前項目を切り替え先項目として設定する（Ｓ５４）。次いで、現在項目に関連されている変換画像データと、切り替え先項目に関連されている変換画像データとの間で共通する変換画像データを、切り替え先項目に関連されている変換画像データの集まり（変換画像データ群）の中から除く（Ｓ５５）。そして、その残りの変換画像データの集まり（変換画像データ群）を仮画像データ群として設定する（Ｓ５５）。次いで、その仮画像データ群に１つ以上の変換画像データが含まれているか否かを判断する（Ｓ５６）。含まれている場合には（Ｓ５６：ＹＥＳ）、仮画像データ群のうちの最大の頁番号の頁に相当する変換画像データを表示して（Ｓ５９）、頁逆送り処理を終了する。
【００６９】
またＳ５６において、仮画像データ群に１つ以上の変換画像データが含まれていない場合には（Ｓ５６：ＮＯ）、前項目のさらに一つ前の順番の関連データがあるか否かを判断する（Ｓ５７）。無い場合には（Ｓ５７：ＮＯ）、頁逆送り処理を終了する。この場合、表示する頁が前にないとして、現在頁の表示が維持されることになる。一方、前項目のさらに一つ前の順番の関連データがある場合には（Ｓ５７：ＹＥＳ）、その関連データを新たな切り替え先項目として設定する（Ｓ５８）。そして、上述したＳ５５〜５９の処理を実行する。これによって、現在項目より順番が前の関連データに属している変換画像データのうち最も大きな頁番号に対応する頁に相当する変換画像データが表示されることになる。
【００７０】
以上説明したように、ユーザは十字キー２０３の左部２０３Ｂを操作すると、表示を前の頁に切り替えることができる。また、表示する頁が前にないときには、現在の表示が維持されることになる。尚、上記実施の形態では、通常の頁逆送りだと前の項目の最初の頁を表示してしまうところを、同一頁ならその前の頁を表示することができる。
【００７１】
一方で表示装置２００は、変換画像データを表示するだけではなく、それぞれの関連データの名称の一覧（以下「目次」という。）を表示する。この際、順序にしたがって関連データの名称を表示する。図１６は表示装置２００に表示されている目次を示した図である。図１６に示すように、画像データ変換装置１００でビットマップ形式に変換される前の目次（図７参照）と同じ順番で表示されていることがわかる。さらに、目次を構成する項目のいずれかを反転表示する（以下その反転表示された部分を「反転表示部６０１」という）。ユーザは、十字キー２０３の上部若しくは下部を操作して、その反転表示部６０１を上の項目若しくは下の項目に移動させることができる。そして操作ボタン２０４を操作して、反転表示部６０１が重畳されている項目を設定することができる。表示装置２００は、項目が設定されたときには、その項目に対応する関連データを参照して、その項目の開始頁に相当する変換画像データを表示する。
【００７２】
このように、目次データを有する画像データを画像データ変換装置１００でビットマップ形式に変換した場合であっても、項目ごとに関連データが作成されるので、目次（項目の名称）と各項目とのリンクを維持させることができる。そして、頁番号が小さい頁から順番にアクセスして、表示させたい項目の開始頁にたどり着く場合よりも、迅速に項目の開始頁を表示できる。また、ユーザは、所望する項目の開始頁が表示されるまで、頁番号にしたがって順番に頁を表示させていく必要がなく、項目単位で、表示する開始頁を切り替えることができるので、ユーザの使い勝手が良い閲覧端末であるといえる。また、項目名表示制御手段によって、項目の名称の一覧が表示されるので、ユーザは画像データがどのような項目から成り立っているのかを一見して把握できる。
【００７３】
なお、本発明に係る画像データ変換装置、表示装置は、上記実施形態に限定されるわけではなく、その趣旨を逸脱しない範囲において種々変形してもよい。例えば、表示装置で目次を表示させる場合に、図１７に示すように、各項目の開始頁も表示させてもよい。これにより、ユーザはどの項目が何頁にあるのかを一見して把握することができる。
【００７４】
また、表示装置２００に目次が表示されているときに、同一の頁に属している項目が複数ある場合には、図１８に示すように、それら項目を一つの項目としてもよい。すなわち、それら項目を反転表示させる。これにより、同一の頁に複数の項目があったとしても、ユーザは一度の操作で次の頁の項目に切り替えることができる。
【符号の説明】
【００７５】
１１  ＣＰＵ
１４  ハードディスク装置
５３  メモリカードインターフェイス（読み込み手段）
７０  画像データ
７１  目次データ
９０  ＣＰＵ（項目名表示制御手段）
１００  画像データ変換装置
２００  表示装置
２０２  ディスプレイ
２０３  十字キー（指示手段、設定手段）
２０４  操作ボタン（指示手段、設定手段）
２１１  メモリカード
４０１〜４４０  項目
８０１〜８４０、８０００〜８００３  関連データ
９０１〜９０３  変換画像データ
Ｓ１１  変換手段、変換ステップ
Ｓ１４  選択手段、選択ステップ
Ｓ１５〜Ｓ１９  選択項目頁決定手段、選択項目頁決定ステップ
Ｓ２０  関連データ作成手段、関連データ作成ステップ
Ｓ３２、Ｓ３９、Ｓ５２、Ｓ５９  頁制御手段
Ｓ３１  第一判断手段
Ｓ５１  第二判断手段
Ｓ３３〜Ｓ３８、Ｓ５３〜Ｓ５８  特定手段
【図１】
2010186277.tif 000003
【図２】
2010186277.tif 000004
【図３】
2010186277.tif 000005
【図４】
2010186277.tif 000006
【図５】
2010186277.tif 000007
【図６】
2010186277.tif 000008
【図７】
2010186277.tif 000009
【図８】
2010186277.tif 000010
【図９】
2010186277.tif 000011
【図１０】
2010186277.tif 000012
【図１１】
2010186277.tif 000013
【図１２】
2010186277.tif 000014
【図１３】
2010186277.tif 000015
【図１４】
2010186277.tif 000016
【図１５】
2010186277.tif 000017
【図１６】
2010186277.tif 000018
【図１７】
2010186277.tif 000019
【図１８】
2010186277.tif 000020